(57)【特許請求の範囲】
【請求項１】
入力映像信号における現フィールドとその１フィールド前のフィールドとの相関値を検出する第１相関検出工程と、
前記入力映像信号における前記現フィールドとその１フィールド後のフィールドとの相関値を検出する第２相関検出工程と、
前記入力映像信号における前記現フィールドの１フィールド前のフィールドと１フィールド後のフィールドとから動きを検出する動き検出工程と、
前記入力映像信号における前記現フィールドの上下垂直方向の実走査信号から垂直方向に平坦な平坦部を検出する平坦部検出工程とを有し、
前記１フィールド後のフィールドに比して前記１フィールド前のフィールドとの相関が強い現フィールド内の領域において垂直方向に平坦でかつ動きのある点を積算して第１相関値を算出し、
前記１フィールド前のフィールドに比して前記１フィールド後のフィールドとの相関が強い現フィールド内の領域において垂直方向に平坦でかつ動きのある点を積算して第２相関値を算出し、
前記第１相関値と前記第２相関値との間に有意な差がある場合、前記入力映像信号を映画フィルムから生成されたテレシネ変換映像信号と判定することを特徴とする映像信号識別方法。
【請求項２】
前記第１相関値と前記第２相関値が略等しくかつ前記入力映像信号が動画像の場合、前記入力映像信号を標準テレビジョン方式の映像信号と判定することを特徴とする請求項１記載の映像信号識別方法。
【請求項３】
飛越し走査の入力映像信号から補間走査信号を生成し、前記映像信号の実走査信号及び前記補間走査信号が相互に間挿された順次走査の映像信号を生成する映像信号の処理方法であって、
入力映像信号における現フィールドとその１フィールド前のフィールドとの相関値を検出する第１相関検出工程と、
前記入力映像信号における前記現フィールドとその１フィールド後のフィールドとの相関値を検出する第２相関検出工程と、
前記入力映像信号における前記現フィールドの１フィールド前のフィールドと１フィールド後のフィールドとから動きを検出する動き検出工程と、
前記入力映像信号における前記現フィールドの上下垂直方向の実走査信号から垂直方向に平坦な平坦部を検出する平坦部検出工程とを有し、
前記１フィールド後のフィールドに比して前記１フィールド前のフィールドとの相関が強い現フィールド内の領域において垂直方向に平坦でかつ動きのある点を積算して第１相関値を算出し、
前記１フィールド前のフィールドに比して前記１フィールド後のフィールドとの相関が強い現フィールド内の領域において垂直方向に平坦でかつ動きのある点を積算して第２相関値を算出し、
前記第１相関値が前記第２相関値に比して大きい場合、前記１フィールド前のフィールドの実走査信号を用いて前記現フィールドの補間走査信号を生成し、前記第２相関値が前記第１相関値に比して大きい場合、前記１フィールド後のフィールドの実走査信号を用いて前記現フィールドの補間走査信号を生成することを特徴とする映像信号の処理方法。
【請求項４】
前記第１相関値と前記第２相関値が略等しくかつ前記入力映像信号が動画像の場合、フィールド内補間処理による第１補間走査信号及びフィールド間補間処理による第２補間走査信号をそれぞれ求め、前記第１及び第２補間走査信号を画像の動き情報を用いて加重加算して前記補間走査信号を得ることを特徴とする請求項３記載の映像信号の処理方法。
【発明の詳細な説明】
【０００１】
【発明の属する技術分野】
本発明は、入力映像信号が映画フィルムから２−３プルダウン方式等により生成されたテレシネ変換映像信号であるか又はテレビカメラ等により生成された標準テレビジョン方式の映像信号であるかを検出する映像信号識別方法及びそれを用いて飛越し走査（インタレース）された映像信号を順次走査の映像信号に変換する映像信号の処理方法に関する。
【０００２】
【従来の技術】
ＮＴＳＣ方式等の標準テレビジョン方式の映像信号の中には、映画フィルムによる映像信号が含まれていることがよくある。映画フィルムは、毎秒２４コマであり、一方、標準テレビジョン方式（ＮＴＳＣ方式）の映像信号は毎秒３０フレーム（毎秒６０フィールド）の飛越し走査の映像信号である。そのため、映画フィルムを２−３プルダウン方式によりテレシネ変換して標準テレビジョン方式の映像信号を得ている。
【０００３】
２−３プルダウン方式では、先ず映画フィルムを走査してフレーム周波数２４Ｈｚの順次走査の映像信号を生成し、例えば、映画フィルムの第１フレームを第１及び第２フィールド、第２フレームを第３〜第５フィールド、第３フレームを第６及び第７フィールド、第４フレームを第８〜第１０フィールドに対応させて変換している。尚、３フィールドに変換するときは最後のフィールド（第５フィールド、第１０フィールド）は最初のフィールド（第３フィールド、第８フィールド）と同じ映像内容のフィールドを繰り返している。
【０００４】
このようにして、映画フィルムの２コマを標準テレビジョン方式の映像信号の５フィールドに対応させ、映画フィルムのコマに対応して２フィールドの映像信号と３フィールドの映像信号とを交互に繰り返す映像信号に変換している。
【０００５】
上述のように変換した場合、例えば第３フィールドと第５フィールド、第８フィールドと第１０フィールドは、それぞれ同一の映像信号となることから、第５及び第１０フィールドにおけるフレーム間差分（１フレーム隣り合ったフレーム間の対応フィールド間の差分；以下、単に「フレーム間差分」という）は０となる。このような関係は５フィールド毎に発生する。
【０００６】
すなわち、フレーム間差分の絶対値を１フィールド期間積算し、その積算値を所定のしきい値と比較し、その積算値がしきい値より大きい場合は動きフィールド、それ以外は静止フィールドと判定すると、２−３プルダウン方式により変換された映像信号の場合には静止フィールドが５フィールド毎に発生する。これを検出して２−３プルダウン方式により変換された画像と一般の画像とを判別している。
【０００７】
【発明が解決しようとする課題】
しかしながら、上述の判別方法では、フレーム間差分の絶対値を１フィールド期間積算し、その積算値を所定のしきい値と比較することを複数のフィールドに亘って行い、テレシネ変換画像の周期的パターンを検出していることから、テレシネ変換画像と一般の画像の切り換わり点や編集点のずれに即座に応答することが困難であり、また、検出する周期的パターンに応じて判別処理を変更しなければならない。
【０００８】
本発明は、上述の事情に鑑みてなされたものであり、テレシネ変換画像と一般の画像の切り換わり点や編集点のずれ等の画像の周期的パターンが不連続になる箇所をすばやく検出することができる映像信号の識別方法を提供することを目的とする。
【０００９】
また、本発明は、テレシネ変換画像と一般の画像の切り換わり点や編集点のずれ等の画像の周期的パターンが不連続になる箇所での走査線補間処理の切り換えをすばやく行うことができかつ適切な補間処理を行うことができる映像信号の処理方法を提供することを目的とする。
【００１０】
【課題を解決するための手段】
本発明による映像信号判別方法は、入力映像信号における現フィールドとその１フィールド前のフィールドとの相関値を検出する第１相関検出工程と、前記入力映像信号における前記現フィールドとその１フィールド後のフィールドとの相関値を検出する第２相関検出工程と、前記入力映像信号における前記現フィールドの１フィールド前のフィールドと１フィールド後のフィールドとから動きを検出する動き検出工程と、前記入力映像信号における前記現フィールドの上下垂直方向の実走査信号から垂直方向に平坦な平坦部を検出する平坦部検出工程とを有し、前記１フィールド後のフィールドに比して前記１フィールド前のフィールドとの相関が強い現フィールド内の領域において垂直方向に平坦でかつ動きのある点を積算して第１相関値を算出し、前記１フィールド前のフィールドに比して前記１フィールド後のフィールドとの相関が強い現フィールド内の領域において垂直方向に平坦でかつ動きのある点を積算して第２相関値を算出し、前記第１相関値と前記第２相関値との間に有意な差がある場合、前記入力映像信号を映画フィルムから生成されたテレシネ変換映像信号と判定することを特徴とする。
【００１１】
また、本発明の映像信号判別方法は、前述した特徴に加えて、前記第１相関値と前記第２相関値が略等しくかつ前記入力映像信号が動画像の場合、前記入力映像信号を標準テレビジョン方式の映像信号と判定することを特徴とする。
【００１２】
本発明による映像信号の処理方法は、飛越し走査の入力映像信号から補間走査信号を生成し、前記映像信号の実走査信号及び前記補間走査信号が相互に間挿された順次走査の映像信号を生成する映像信号の処理方法であって、入力映像信号における現フィールドとその１フィールド前のフィールドとの相関値を検出する第１相関検出工程と、前記入力映像信号における前記現フィールドとその１フィールド後のフィールドとの相関値を検出する第２相関検出工程と、前記入力映像信号における前記現フィールドの１フィールド前のフィールドと１フィールド後のフィールドとから動きを検出する動き検出工程と、前記入力映像信号における前記現フィールドの上下垂直方向の実走査信号から垂直方向に平坦な平坦部を検出する平坦部検出工程とを有し、前記１フィールド後のフィールドに比して前記１フィールド前のフィールドとの相関が強い現フィールド内の領域において垂直方向に平坦でかつ動きのある点を積算して第１相関値を算出し、前記１フィールド前のフィールドに比して前記１フィールド後のフィールドとの相関が強い現フィールド内の領域において垂直方向に平坦でかつ動きのある点を積算して第２相関値を算出し、前記第１相関値が前記第２相関値に比して大きい場合、前記１フィールド前のフィールドの実走査信号を用いて前記現フィールドの補間走査信号を生成し、前記第２相関値が前記第１相関値に比して大きい場合、前記１フィールド後のフィールドの実走査信号を用いて前記現フィールドの補間走査信号を生成することを特徴とする。
【００１３】
また、本発明の映像信号の処理方法は、前述した特徴に加えて、前記第１相関値と前記第２相関値が略等しくかつ前記入力映像信号が動画像の場合、フィールド内補間処理による第１補間走査信号及びフィールド間補間処理による第２補間走査信号をそれぞれ求め、前記第１及び第２補間走査信号を画像の動き情報を用いて加重加算して前記補間走査信号を得ることを特徴とする。
【００１６】
【作用】
本発明によれば、入力映像信号の現フィールド及びその前後の各１フィールドとの各相関値をそれぞれ検出し、各相関値の間の差が大きい場合、入力映像信号を映画フィルムから生成されたテレシネ変換映像信号と判定するようにしたので、テレシネ変換画像と一般の画像の区別を高速に判定することができる。
【００１７】
【発明の実施の形態】
本発明の映像信号識別方法及びそれを用いた映像信号の処理方法を図に基づいて詳細に説明する。
図１は、本発明の映像信号処理装置の全体ブロック図である。
この映像信号処理装置は、飛越し走査の入力映像信号（Ｒ、Ｇ、Ｂ信号）から補間走査信号を生成し、前記映像信号の実走査信号及び前記補間走査信号が相互に間挿された順次走査の映像信号を生成するように構成されている。また、この映像信号処理装置は、例えばプラズマディスプレイパネル（ＰＤＰ）のために用いられ、入力映像信号はＲ，ＧまたはＢの３原色の各色信号である。従って、ＰＤＰでは、図１と同様な構成が３組共通に設けられることとなる。
【００１８】
図１に示す映像信号処理装置は、３つのフィールドメモリ１１１，１１２，１１３、各フィールドメモリ間に接続されたラインメモリ１２１，１２２、フィールド間差分に基づいてモードを検出するモード検出器１４１、フレーム間差分に基づいて動きを検出する動き検出器１４２、モード検出器１４１及び動き検出器１４２の制御に従って走査線補間処理を行う走査線補間器１４３により構成されている。
【００１９】
フィールドメモリ１１１に映像信号Ｓ６が入力されると、フィールドメモリ１１１から映像信号Ｓ１の１フィールド前の映像信号Ｓ５が出力される。この映像信号Ｓ５は、ラインメモリ１２１に入力される。このとき、ラインメモリ１２１から映像信号Ｓ５の１ライン前の映像信号Ｓ４が出力される。この映像信号Ｓ４は、フィールドメモリ１１２に入力される。このとき、フィールドメモリ１１２から映像信号Ｓ４の１フィールド前の映像信号Ｓ３が出力される。この映像信号Ｓ３は、ラインメモリ１２２に入力される。このとき、ラインメモリ１２２から映像信号Ｓ３の１ライン前の映像信号Ｓ２が出力される。この映像信号Ｓ２はフィールドメモリ１１３に入力される。このとき、フィールドメモリ１１３から映像信号Ｓ２の１フィールド前の映像信号Ｓ１が出力される。以上のようにして、入力映像信号Ｓ６に対して、映像信号Ｓ５〜Ｓ１が得られる。
【００２０】
モード検出器１４１は、映像信号Ｓ４及びＳ５とその１フィールド前及び後の映像信号Ｓ３、Ｓ６との相関関係に基づいて、入力映像信号が２−３プルダウン方式によりテレシネ変換された画像（フィルム動画モード）、テレビカメラ等による一般の画像（ＴＶ動画モード）、静止画像（静止画モード）、及びフィルム動画モードである場合の補間方向を検出する。
【００２１】
図２は、図１のモード検出器１４１の内部構成の一例を示す。
第１の相関検出器２１１は、現フィールドの上下に隣接する実走査信号（例えば図１の映像信号Ｓ５と映像信号Ｓ４、図４のフィールドＮｏ．３のｂｔ１、ｂｔ３）の各画素と１フィールド前のフィールドの実走査信号（例えば図１では映像信号Ｓ３、図４のフィールドＮｏ．２のａｔ２）の画素のフィールド間差分の絶対値（｜ｂｔ１−ａｔ２｜及び｜ｂｔ３−ａｔ２｜）を求め、その内の小さい方ｍを出力する。
【００２２】
第２の相関検出器２１２は、現フィールドの上下に隣接する実走査信号（例えば図１の映像信号Ｓ５と映像信号Ｓ４、図４のフィールドＮｏ．３のｂｔ１、ｂｔ３）の各画素と１フィールド後のフィールドの実走査信号の画素（例えば図１の映像信号Ｓ６、図４のフィールドＮｏ．４のｂｔ２）のフィールド間差分の絶対値（｜ｂｔ２−ｂｔ１｜及び｜ｂｔ２−ｂｔ３｜）を求め、その内の小さい方ｎを出力する。
【００２３】
比較器２２３は、第１及び第２の相関検出器２１１、２１２からの各最小絶対値ｍ、ｎを比較する。
ｍ≧ｈ・ｎ  （ｈは定数で、ｈ＞１、例えばｈ＝２）の場合（現フィールドが１フィールド前のフィールドに比して１フィールド後のフィールドとの相関が強い場合）、スイッチ２２７をａ側に切り換える。
【００２４】
ｎ≧ｈ・ｍ  （ｈは定数で、ｈ＞１、例えばｈ＝２）の場合（現フィールドが１フィールド後のフィールドに比して１フィールド前のフィールドとの相関が強い場合）、スイッチ２２７をｂ側に切り換える。
【００２５】
ｍ＜ｈ・ｎでかつｎ＜ｈ・ｍの場合（すなわち、現フィールドと１フィールド前のフィールドとの相関値と現フィールドと１フィールド前のフィールドとの相関値とが略等しい場合）、スイッチ２２７をｃ側に切り換える。
【００２６】
動き検出器２２４は、現フィールド（例えば図４のフィールドＮｏ．３）の１フィールド前のフィールドの実走査信号（例えばフィールドＮｏ．２のａｔ２）の画素と現フィールドの１フィールド後のフィールドの実走査信号（図４のフィールドＮｏ．４のｂｔ２）の画素とのフィールド間差分の絶対値（｜ａｔ２−ｂｔ２｜）を求め、その絶対値を所定のしきい値と比較し、しきい値以上の時動きありと判定し、動き検出パルスを出力する（図２においては、入力映像信号Ｓ１〜Ｓ６のうちＳ６とＳ３によって処理を行う）。
【００２７】
平坦部検出器２２５は、現フィールドの上下に隣接する実走査信号（例えば図４のフィールドＮｏ．３のｂｔ１、ｂｔ３）の各画素差分の絶対値（｜ｂｔ１−ｂｔ３｜）を求め、所定のしきい値と比較し、しきい値以下の時、垂直方向に平坦であると判定し、平坦部検出パルスを出力する。
【００２８】
ＡＮＤ回路２２６は、動き検出パルス及び平坦部検出パルスが入力され、垂直方向に平坦でかつ動きのある点を検出して検出パルスを出力する。
【００２９】
第１のカウンタ２３１は、ｍ≧ｈ・ｎの場合（現フィールドが１フィールド前のフィールドに比して１フィールド後のフィールドとの相関が強い場合）、現フィールド期間においてＡＮＤ回路２２６から供給される検出パルスの数をカウントしてその積算値（第１の積算値Ｋ１）を出力する。
【００３０】
第２のカウンタ２３２は、ｎ≧ｈ・ｍの場合（現フィールドが１フィールド後のフィールドに比して１フィールド前のフィールドとの相関が強い場合）、現フィールド期間においてＡＮＤ回路２２６から供給される検出パルスの数をカウントしてその積算値（第２の積算値Ｋ２）を出力する。
【００３１】
第３のカウンタ２３３は、現フィールド期間における動き検出パルスの数をカウントし、その積算値（第３の積算値Ｋ３）を出力する。
第１〜第３のカウンタ２３１〜２３３の積算値は１フィールド毎にリセットされる。
【００３２】
判定器２４１は、第１の積算値Ｋ１と第２の積算値Ｋ２を比較すると共に第３の積算値Ｋ３と所定のしきい値とを比較し、
Ｋ１≧ｉ・Ｋ２（ｉは定数で、ｉ＞１）の場合、現フィールドは、１フィールド後のフィールドとの相関が強いフィルム動画像（後寄りフィルム動画モード）であると判定し、
Ｋ２≧ｉ・Ｋ１（ｉは定数で、ｉ＞１）の場合、現フィールドは、１フィールド前のフィールドとの相関が強いフィルム動画像（前寄りフィルム動画モード）であると判定し、
第３の積算値Ｋ３が所定のしきい値以上で、Ｋ１＜ｉ・Ｋ２かつＫ２＜ｉ・Ｋ１の場合、一般の動画像（ＴＶ動画モード）と判定し、
第１の積算値Ｋ１が所定のしきい値未満の場合、静止画像（静止画モード）と判定する。ここで、判定器２４１は、静止画像（静止画モード）と判定した場合、１フィールド前のフィールドに対して判定されたモード状態を維持する。
【００３３】
図３は、図１の走査線補間器１４３の内部構成の一例を示す。
図１のモード検出器１４１からのモード制御情報Ｍ及び動き検出器１４２からの画像の動き情報Ｇに応答して、補間制御信号発生器３１１は、フィールド内補間器３１２の出力とフィールド間補間器３１３の出力の混合割合（動き制御係数ｋ）と、フィールド間補間処理内容の変更とを制御する。
【００３４】
モード検出器１４１からのモード制御情報Ｍが前寄り又は後寄りフィルム動画モードの場合、走査線補間器１４３は、相関の強い側のフィールドを用いたフィールド間補間処理を行う（動き制御係数ｋは、ｋ＝０）。
【００３５】
モード検出器１４１からのモード制御情報ＭがＴＶ動画モードの場合、走査線補間器１４３は、動き適応型補間処理（すなわち、フィールド内補間処理による第１補間走査信号及びフィールド間補間処理による第２補間走査信号をそれぞれ求め、前記第１及び第２補間走査信号を画像の動き情報ｋを用いて加重加算する処理）を行い補間走査信号を生成する（動き制御係数ｋは、０＜ｋ≦１）。
【００３６】
モード検出器１４１からのモード制御情報Ｍが静止画モードの場合、走査線補間器１４３は、１フィールド前のフィールドで判定されたモードを維持し、１フィールド前のフィールドと同一の補間処理を行う。
係数器３２１、３２２の各出力は加算器３３１で加算され、時間軸変換器３４１へ供給される。
【００３７】
このように各モードにおいて、補間走査信号を得て、時間軸変換器３４１により映像信号の実走査信号及び補間走査信号を相互に間挿することにより、飛越し走査された映像信号を順次走査の映像信号に変換する。
【００３８】
図４は、テレビ信号の場合における飛越し走査の映像信号の実走査信号と補間走査信号との時間及び空間の位置関係を示し、図５は、テレシネ信号の場合における飛越し走査の映像信号の実走査信号と補間走査信号との時間及び空間の位置関係を示す。  Ａｔ１、Ａｔ２、〜Ｄｔ１、Ｄｔ２はテレビ信号の各フィールドを表し、Ａｃ１、Ａｃ２、〜Ｄｃ２はテレシネ信号の各フィールドを表し、ＡからＤへ時間経過する。テレビ信号では図４に示すようにＡｔ１、Ａｔ２、〜Ｄｔ１、Ｄｔ２と奇数フィールドと偶数フィールドの組で構成されるが、テレシネ信号の場合は、図５からわかるようにＡｃ１、Ａｃ２、Ｂｃ１、Ｂｃ２、Ｂｃ１のように５フィールドの組で構成される。
【００３９】
また、図４及び図５の下方に○印で示されているのはテレビ信号とテレシネ信号のそれぞれの場合における実走査線を表し、□印で示されているのは補間走査線を表している。  縦軸は表示画面の垂直方向を示し、横軸はフィールドの時間軸を示し、図４及び図５の上部に示すようにＮｏ．１からＮｏ．８迄の各フィールドを表している。従って、インタレース信号の各走査線は、例えばフィールドＮｏ．３のｂｔ１とｂｔ３の実走査線間の補間走査線を求める場合、ａｔ２が１フィールド前の対応する走査線、ｂｔ２が１フィールド後の対応する走査線となる。
【００４０】
先ず、図４に基づいて入力映像信号がテレビカメラ等による一般の動画像の映像信号の場合の補間動作を説明する。
図４において、例えばフィールドＮｏ．３（Ｂｔ１）は、モード検出器１４１によりＴＶ動画モードと判定される。補間制御信号発生器３１１は、モード検出器１４１からのモード制御情報Ｍ（ＴＶ動画モード）及び動き検出器１４２からの画像の動き情報Ｇに応答して、フィールド内補間器３１２の出力とフィールド間補間器３１３の出力の混合割合（動き制御係数ｋは、０＜ｋ≦１）を制御する。
【００４１】
このとき、例えばフィールドＮｏ．３の実走査信号ｂｃ１とｂｃ３の間に位置する補間走査信号は、フィールド内補間器３１２における補間処理（例えば、補間走査信号の各補間画素を、その上下に位置する同一フィールドＮｏ．３内の実走査信号ｂｔ１とｂｔ３において隣接する画素の平均値により生成する処理）により第１補間走査信号及びフィールド間補間器３１３における補間処理（例えば、補間走査信号の各補間画素を、その前後に隣接するフィールドＮｏ．２，Ｎｏ．４の対応する実走査信号ａｔ２とｂｔ２において隣接する画素の平均値により生成する処理）により第２補間走査信号をそれぞれ求め、第１及び第２補間走査信号を画像の動き情報ｋを用いて加重加算して生成される。
【００４２】
次に、図５に基づいて入力映像信号が映画フィルムを２−３プルダウン方式によりテレシネ変換した動画像の映像信号の場合の補間動作を説明する。
図５において、例えば、フィールドＮｏ．３（Ｂｃ１）は、モード検出器１４１により１フィールド後のフィールドＮｏ．４（Ｂｃ２）との相関が強い後寄りフィルム動画モードと判定される。補間制御信号発生器３１１は、モード検出器１４１からのモード制御情報Ｍ（後寄りフィルム動画モード）及び動き検出器１４２からの画像の動き情報Ｇに応答して、動き制御係数ｋを０とし、フィールド間補間器３１３の補間処理内容を制御する。
【００４３】
このとき、例えば、フィールドＮｏ．３（Ｂｃ１）の実走査信号ｂｃ１とｂｃ３の間に位置する補間走査信号は、フィールド間補間器３１３による補間処理（補間走査信号の各補間画素として、同じ空間位置に相当する１フィールド後のフィールドＮｏ．４の実走査信号ｂｃ２において隣接する画素の値を選択しそのまま用いる処理）により生成される。
【００４４】
次に、図５のフィールドＮｏ．４（Ｂｃ２）は、フィールドＮｏ．４の前後のフィールドＮｏ．３及びＮｏ．５が同一内容のフィールドであることからモード検出器１４１により静止画モードと判定される。補間制御信号発生器３１１は、モード検出器１４１からのモード制御情報Ｍ（静止画モード）及び動き検出器１４２からの画像の動き情報Ｇに応答して、１フィールド前のフィールドＮｏ．３と同一の補間モード（補間走査信号の各補間画素として、相関の強い隣接するフィールドの対応する実走査線において補間画素と隣接する画素の値を選択しそのまま用いる補間処理）となるように、動き制御係数ｋを０とし、フィールド間補間器３１３の補間処理内容を制御する。
【００４５】
このとき、例えば、フィールドＮｏ．４（Ｂｃ２）の実走査信号ｂｃ２とｂｃ４の間に位置する補間走査信号は、フィールド間補間器３１３による補間処理（補間走査信号の各補間画素として、同じ空間位置に相当する１フィールド前のフィールドＮｏ．３の実走査信号ｂｃ３又は１フィールド後のフィールドＮｏ．５の実走査信号ｂｃ３において隣接する画素の値を選択しそのまま用いる処理）により生成される。
【００４６】
次に、図５のフィールドＮｏ．５（Ｂｃ１）は、モード検出器１４１により１フィールド前のフィールドＮｏ．４（Ｂｃ２）との相関が強い前寄りフィルム動画モードと判定される。補間制御信号発生器３１１は、モード検出器１４１からのモード制御情報Ｍ（前寄りフィルム動画モード）及び動き検出器１４２からの画像の動き情報Ｇに応答して、動き制御係数ｋを０とし、フィールド間補間器３１３の補間処理内容を制御する。
【００４７】
このとき、例えば、フィールドＮｏ．５（Ｂｃ１）の実走査信号ｂｃ１とｂｃ３の間に位置する補間走査信号は、フィールド間補間器３１３による補間処理（補間走査信号の各補間画素として、同じ空間位置に相当する１フィールド前のフィールドＮｏ．４の実走査信号ｂｃ２において隣接する画素の値を選択しそのまま用いる処理）により生成される。
【００４８】
このようにして、モード検出器１４１は、フィールド毎に入力映像信号が後寄り又は前寄りフィルム動画モード、ＴＶ動画モード、静止画モードのいずれであるかを前後のフィールドとの相関に基づいて検出し、走査線補間器１４３は走査線補間処理方法をモード検出器１４１の出力信号に基づいて切り換えるようにしたのでフィールド単位で高速に適切な走査線補間処理方法を選択することが可能となる。
【００４９】
【発明の効果】
以上説明したように、本発明の映像信号識別方法によれば、入力映像信号の現フィールド及びその前後の各フィールドとの各相関値をそれぞれ検出し、各相関値の間の差が大きい場合、入力映像信号を映画フィルムから生成されたテレシネ変換映像信号と判定するようにしたので、テレシネ変換画像と一般の画像の区別を高速に判定することができる。
【００５０】
また、本発明の走査線補間方法によれば、入力映像信号の現フィールド及びその前後の各フィールドとの相関関係に基づいて走査線補間処理方法を変更するように構成したので、適切な補間処理を即座に行うことができる。
【図面の簡単な説明】
【図１】本発明による映像信号処理装置の全体ブロック図である。
【図２】図１のモード検出器の内部構成の一例を示す図である。
【図３】図１の走査線補間器の内部構成の一例を示す図である。
【図４】テレビ信号の場合における飛越し走査の映像信号の実走査信号と補間走査信号との時間及び空間の位置関係を示す図である。
【図５】テレシネ信号の場合における飛越し走査の映像信号の実走査信号と補間走査信号との時間及び空間の位置関係を示す図である。
【符号の説明】
１１１、１１２、１１３・・・・フィールドメモリ
１２１、１２２・・・・ラインメモリ
１４１・・・・モード検出器
１４２、２２４・・・・動き検出器
１４３・・・・走査線補間器
２１１、２１２・・・・相関検出器
２２３・・・・比較器
２２５・・・・平坦部検出器
２２６・・・・ＡＮＤ回路
２２７・・・・スイッチ
２３１〜２３３・・・・カウンタ
２４１・・・・判定器
３１１・・・・補間制御信号発生器
３１２・・・・フィールド内補間器
３１３・・・・フィールド間補間器
３２１、３２２・・・・係数器
３３１・・・・加算器
３４１・・・・時間軸変換器
【図１】
0003812921.tif 000002
【図２】
0003812921.tif 000003
【図３】
0003812921.tif 000004
【図４】
0003812921.tif 000005
【図５】
0003812921.tif 000006